(57)【要約】【課題】放送受信機において受信可能な番組の放送がない場合に、自動的に外部機器からの所定の信号の入力を可能にすることができる放送受信機を実現する。【解決手段】放送受信機１００において、アンテナ１０やチューナ２を介して受信した放送信号に含まれる放送情報（ＥＰＧデータ）に基づき、放送プログラムが放映されない無放送時間帯を検出するとともに、放送受信機１００を起動するために電源がオン状態にされた際のタイミングが、検出された無放送時間帯であると判断された場合、放送受信機１００は、外部機器接続端子群８（接続端子８ａ〜８ｅ）に接続されているビデオ再生装置アやＤＶＤプレーヤなどの外部機器が出力した映像信号に応じた映像コンテンツを表示装置２０において放映可能に切り替えることを可能にした。【選択図】図５
2007110391.tif 000002
【特許請求の範囲】
【請求項１】
所定の放送プログラムに関する放送情報が含まれる放送信号をアンテナを介して受信する受信部と、
所定の映像コンテンツに関する映像信号を出力する複数の外部機器が接続される複数の接続部を有する外部機器接続手段と、
前記受信部が受信した前記放送信号に応じた放送プログラムまたは前記外部機器接続手段に接続されている前記外部機器が出力した映像信号に応じた映像コンテンツを放映する番組出力部と、を備える放送受信機において、
前記複数の接続部から、前記番組出力部において放映される映像コンテンツに関する映像信号を出力する外部機器が接続される接続部を選択する外部入力選択手段と、
前記受信部が受信した前記放送信号に含まれる放送情報に基づき、前記放送プログラムが放映されない無放送時間帯を検出する無放送時間帯検出手段と、
前記番組出力部において前記外部機器が出力した映像信号に応じた映像コンテンツを放映可能に切り替える切替時間帯を設定する切替時間帯設定手段と、
当該放送受信機の電源がオン状態にされた際のタイミングが、前記無放送時間帯検出手段により検出された無放送時間帯または前記切替時間帯設定手段により設定された切替時間帯であるか否かを判断するタイミング判断手段と、
前記タイミング判断手段により、前記電源がオン状態にされた際のタイミングが前記無放送時間帯または前記切替時間帯であると判断された場合に、前記番組出力部において前記外部機器が出力した映像信号に応じた映像コンテンツを放映可能に切り替える入力信号切替手段と、
を備えることを特徴とする放送受信機。
【請求項２】
所定の放送プログラムに関する放送情報が含まれる放送信号をアンテナを介して受信する受信部と、
所定の映像コンテンツに関する映像信号を出力する外部機器が接続される外部機器接続手段と、
前記受信部が受信した前記放送信号に応じた放送プログラムまたは前記外部機器接続手段に接続されている前記外部機器が出力した映像信号に応じた映像コンテンツを放映する番組出力部と、を備える放送受信機において、
前記受信部が受信した前記放送信号に含まれる放送情報に基づき、前記放送プログラムが放映されない無放送時間帯を検出する無放送時間帯検出手段と、
当該放送受信機の電源がオン状態にされた際のタイミングが、前記無放送時間帯検出手段により検出された無放送時間帯であるか否かを判断するタイミング判断手段と、
前記タイミング判断手段により、前記電源がオン状態にされたタイミングが前記無放送時間帯であると判断された場合に、前記番組出力部において前記外部機器が出力した映像信号に応じた映像コンテンツを放映可能に切り替える入力信号切替手段と、
を備えることを特徴とする放送受信機。
【請求項３】
前記外部機器接続手段は、複数の外部機器を接続するための複数の接続部を有し、
前記複数の接続部から、前記番組出力部において放映される映像コンテンツに関する映像信号を出力する外部機器が接続される接続部を選択する外部入力選択手段を備えることを特徴とする請求項２に記載の放送受信機。
【請求項４】
前記番組出力部において前記外部機器が出力した映像信号に応じた映像コンテンツを放映可能に切り替える切替時間帯を設定する切替時間帯設定手段と、
当該放送受信機の電源がオン状態にされた際の時間が、前記切替時間帯設定手段により設定された切替時間帯であるか否かを判断する切替時間帯判断手段と、を備え、
前記入力信号切替手段は、前記切替時間帯判断手段により、前記電源がオン状態にされた際の時間が前記切替時間帯であると判断された場合に、前記番組出力部において前記外部機器が出力した映像信号に応じた映像コンテンツを放映可能に切り替えることを特徴とする請求項２又は３に記載の放送受信機。
【発明の詳細な説明】
【技術分野】
【０００１】
本発明は、放送受信機に関する。
【背景技術】
【０００２】
従来、複数チャンネルの放送信号をアンテナを介して受信するとともに、選局されたチャンネルの放送信号に応じた番組の映像や音声を出力するテレビ受像機などの放送受信機がある。
このような放送受信機において、受信する放送信号の同期信号を監視するとともに、その同期信号が検出されないことに基づき、選局されていたチャンネルの放送が終了し「砂嵐画面」になったものと判断し、ユーザの嗜好に合った他のチャンネルを自動的に選局して番組を切り替える放送受信機が知られている（例えば、特許文献１参照。）。
また、放送受信機において、選局されていたチャンネルの放送が終了した場合に、予め所定の記録媒体に記録された画像や音声を出力する放送受信機が知られている（例えば、特許文献２参照。）。
【０００３】
また、放送受信機において、選局されたチャンネルの放送が行われていない場合に、自動的に省電力モードに切り替えることによって、無駄な電力の消費を防止する放送受信機が知られている（例えば、特許文献３参照。）。
また、放送受信機において、選局されたチャンネルの放送が行われていない場合に、電源回路をオフに切り替えることによって、消費電力を削減する放送受信機が知られている（例えば、特許文献４参照。）。
【０００４】
また、放送受信機において、アンテナからの放送信号に代えて、所定の外部機器接続手段（例えば、接続端子）に接続されている外部機器（例えば、ビデオ再生装置）からの信号（映像信号、音声信号）の入力に切り替えることに伴い、その外部機器に対する制御を可能にする放送受信機が知られている（例えば、特許文献５参照。）。
【特許文献１】特開２００３−１８４８４号公報
【特許文献２】特開２００２−２１８３３１号公報
【特許文献３】特開２００２−１６８５４号公報
【特許文献４】特開平９−２６１５５４号公報
【特許文献５】特開２００２−３５４３５１号公報
【発明の開示】
【発明が解決しようとする課題】
【０００５】
しかしながら、上記特許文献１の場合、全ての放送局における放送が終了し、番組の放送が行われていない場合には、放送受信機において切り替えるべきチャンネル（番組）がないという問題が生じることがあった。
また、上記特許文献２の場合、放送が終了した際に、予め記録媒体に記録された画像や音声の出力を行うことができるが、その出力された画像や音声がその時点におけるユーザの嗜好に合わなかったり、ユーザの気分にそぐわなかったりすることがあるという問題があった。
また、上記特許文献３、特許文献４の場合、番組の放送が行われていない際に、無駄な電力の消費を防止したり削減したりすることはできるが、ユーザの嗜好に合った映像などの放映に切り替えることはできなかった。
そして、上記特許文献１から特許文献４における技術では、番組の放送が行われていない場合に、ユーザが所望する映像などをその放送受信機において出力させるように、放送受信機における外部機器接続手段に接続されている外部機器からの信号の入力に切り替えるためには、所定の入力切替操作を行う必要があった。
【０００６】
また、上記特許文献５の場合、放送受信機における外部機器接続手段に接続されている外部機器からの信号の入力に切り替えた際に、その外部機器に対する制御を可能にすることはできるが、放送受信機において受信可能な番組放送がない場合に、外部機器接続手段に接続されている外部機器からの信号が入力されるように自動的に切り替えて、ユーザの嗜好に合った映像などの放映に切り替えることはできなかった。
【０００７】
本発明の目的は、放送受信機において受信可能な番組の放送がない場合に、自動的に外部機器からの所定の信号の入力を可能にすることができる放送受信機を提供することである。
【課題を解決するための手段】
【０００８】
以上の課題を解決するため、請求項１記載の発明は、所定の放送プログラムに関する放送情報が含まれる放送信号をアンテナを介して受信する受信部と、所定の映像コンテンツに関する映像信号を出力する複数の外部機器が接続される複数の接続部を有する外部機器接続手段と、前記受信部が受信した前記放送信号に応じた放送プログラムまたは前記外部機器接続手段に接続されている前記外部機器が出力した映像信号に応じた映像コンテンツを放映する番組出力部と、を備える放送受信機において、前記複数の接続部から、前記番組出力部において放映される映像コンテンツに関する映像信号を出力する外部機器が接続される接続部を選択する外部入力選択手段と、前記受信部が受信した前記放送信号に含まれる放送情報に基づき、前記放送プログラムが放映されない無放送時間帯を検出する無放送時間帯検出手段と、前記番組出力部において前記外部機器が出力した映像信号に応じた映像コンテンツを放映可能に切り替える切替時間帯を設定する切替時間帯設定手段と、当該放送受信機の電源がオン状態にされた際のタイミングが、前記無放送時間帯検出手段により検出された無放送時間帯または前記切替時間帯設定手段により設定された切替時間帯であるか否かを判断するタイミング判断手段と、前記タイミング判断手段により、前記電源がオン状態にされた際のタイミングが前記無放送時間帯または前記切替時間帯であると判断された場合に、前記番組出力部において前記外部機器が出力した映像信号に応じた映像コンテンツを放映可能に切り替える入力信号切替手段と、を備えることを特徴とする。
【０００９】
請求項２記載の発明は、所定の放送プログラムに関する放送情報が含まれる放送信号をアンテナを介して受信する受信部と、所定の映像コンテンツに関する映像信号を出力する外部機器が接続される外部機器接続手段と、前記受信部が受信した前記放送信号に応じた放送プログラムまたは前記外部機器接続手段に接続されている前記外部機器が出力した映像信号に応じた映像コンテンツを放映する番組出力部と、を備える放送受信機において、前記受信部が受信した前記放送信号に含まれる放送情報に基づき、前記放送プログラムが放映されない無放送時間帯を検出する無放送時間帯検出手段と、当該放送受信機の電源がオン状態にされた際のタイミングが、前記無放送時間帯検出手段により検出された無放送時間帯であるか否かを判断するタイミング判断手段と、前記タイミング判断手段により、前記電源がオン状態にされたタイミングが前記無放送時間帯であると判断された場合に、前記番組出力部において前記外部機器が出力した映像信号に応じた映像コンテンツを放映可能に切り替える入力信号切替手段と、を備えることを特徴とする。
【００１０】
請求項３記載の発明は、請求項２に記載の放送受信機において、前記外部機器接続手段は複数の外部機器を接続するための複数の接続部を有し、前記複数の接続部から、前記番組出力部において放映される映像コンテンツに関する映像信号を出力する外部機器が接続される接続部を選択する外部入力選択手段を備えることを特徴とする。
【００１１】
請求項４記載の発明は、請求項２又は３に記載の放送受信機において、前記番組出力部において前記外部機器が出力した映像信号に応じた映像コンテンツを放映可能に切り替える切替時間帯を設定する切替時間帯設定手段と、当該放送受信機の電源がオン状態にされた際の時間が、前記切替時間帯設定手段により設定された切替時間帯であるか否かを判断する切替時間帯判断手段と、を備え、前記入力信号切替手段は、前記切替時間帯判断手段により、前記電源がオン状態にされた際の時間が前記切替時間帯であると判断された場合に、前記番組出力部において前記外部機器が出力した映像信号に応じた映像コンテンツを放映可能に切り替えることを特徴とする。
【発明の効果】
【００１２】
請求項１記載の発明によれば、放送受信機は、受信部が受信した放送信号に含まれる放送情報に基づき、放送プログラムが放映されない無放送時間帯を検出することができる。そして、放送受信機を起動するために電源がオン状態にされた際のタイミングが、検出された無放送時間帯であると判断された場合、放送受信機は、外部機器接続手段に接続されている外部機器が出力した映像信号に応じた映像コンテンツを番組出力部において放映可能に切り替えることができる。つまり、放送受信機において受信可能な放送信号のない無放送時間帯に、放送受信機の電源がオン状態にされた場合、自動的に外部機器からの映像信号の入力に切り替えるようにして、映像信号に応じた映像コンテンツを放映可能にすることができるので、放送受信機における外部機器接続手段に接続されている外部機器からの映像信号の入力に切り替えるための、所定の入力切替操作を省くことができる。
よって、放送受信機において受信可能な放送信号がない場合に、ユーザが放送受信機で放映される映像などを視聴するために、外部機器からの映像信号の入力を受けて、その映像信号に応じた映像コンテンツを放送受信機の番組出力部で放映可能とするように、外部機器からの映像信号の入力に切り替える入力切替を行う操作が不要になるので、放送受信機の操作性が向上する。特に、ユーザが、現在放送受信機で受信可能な放送信号がないことを認識しており、外部機器からの映像信号に応じた映像コンテンツを視聴するために、放送受信機の電源を入れた場合に、自動的に外部機器からの映像信号の入力が可能になるように切り替わることは、ユーザにとって好ましい処理といえる。
【００１３】
また、放送受信機は、外部機器が出力した映像信号に応じた映像コンテンツを番組出力部において放映可能に切り替えるための切替時間帯を設定することができる。そして、放送受信機を起動するために電源がオン状態にされた際の時間が、設定された切替時間帯であると判断された場合、放送受信機は、外部機器接続手段に接続されている外部機器が出力した映像信号に応じた映像コンテンツを番組出力部において放映可能に切り替えることができる。つまり、放送受信機において、受信部が受信した放送信号に応じた放送プログラムを放映せず、外部機器を動作させて映像信号に応じた映像コンテンツを放映するための切替時間帯を設定することができる。
そして、その切替時間帯であれば、放送受信機において自動的に外部機器からの映像信号の入力が可能となるように切り替えられるので、受信部を介して受信した放送信号にかえて、外部機器からの映像信号の入力に切り替えて、映像信号に応じた映像コンテンツを放映するための、所定の入力切替操作を省くことができる。
【００１４】
また、放送受信機は、複数の外部機器を接続するための複数の接続部から、番組出力部において放映される映像コンテンツに関する映像信号を出力する外部機器が接続される接続部を選択することができるので、放送受信機が、無放送時間帯や切替時間帯に自動的に外部機器からの映像信号の入力に切り替えた際に、その選択された接続部を介して所望する外部機器からの所望する映像信号の入力が可能になる。そして、放送受信機はユーザが所望する映像コンテンツを番組出力部で放映することができ、ユーザは所望する映像コンテンツを視聴することが可能になる。
【００１５】
請求項２記載の発明によれば、放送受信機は、受信部が受信した放送信号に含まれる放送情報に基づき、放送プログラムが放映されない無放送時間帯を検出することができる。そして、放送受信機を起動するために電源がオン状態にされた際のタイミングが、検出された無放送時間帯であると判断された場合、放送受信機は、外部機器接続手段に接続されている外部機器が出力した映像信号に応じた映像コンテンツを番組出力部において放映可能に切り替えることができる。
つまり、放送受信機において受信可能な放送信号のない無放送時間帯に、放送受信機の電源がオン状態にされた場合、自動的に外部機器からの映像信号の入力に切り替えるようにして、映像信号に応じた映像コンテンツを放映可能にすることができるので、放送受信機における外部機器接続手段に接続されている外部機器からの映像信号の入力に切り替えるための、所定の入力切替操作を省くことができる。
よって、放送受信機において受信可能な放送信号がない場合に、ユーザが放送受信機で放映される映像などを視聴するために、外部機器からの映像信号の入力を受けて、その映像信号に応じた映像コンテンツを放送受信機の番組出力部で放映可能とするように、外部機器からの映像信号の入力に切り替える入力切替を行う操作が不要になるので、放送受信機の操作性が向上する。特に、ユーザが、現在放送受信機で受信可能な放送信号がないことを認識しており、外部機器からの映像信号に応じた映像コンテンツを視聴するために、放送受信機の電源を入れた場合に、自動的に外部機器からの映像信号の入力が可能になるように切り替わることは、ユーザにとって好ましい処理といえる。
【００１６】
請求項３記載の発明によれば、請求項２に記載の発明と同様の効果が得られることは無論のこと、放送受信機は、複数の外部機器を接続するための複数の接続部から、番組出力部において放映される映像コンテンツに関する映像信号を出力する外部機器が接続される接続部を選択することができるので、放送受信機が、無放送時間帯などに自動的に外部機器からの映像信号の入力に切り替えた際に、その選択された接続部を介して所望する外部機器からの所望する映像信号の入力が可能になる。そして、放送受信機はユーザが所望する映像コンテンツを番組出力部で放映することが可能になり、ユーザは所望する映像コンテンツを視聴することができる。
【００１７】
請求項４記載の発明によれば、請求項２又は３に記載の発明と同様の効果が得られることは無論のこと、放送受信機は、外部機器が出力した映像信号に応じた映像コンテンツを番組出力部において放映可能に切り替えるための切替時間帯を設定することができる。そして、放送受信機を起動するために電源がオン状態にされた際の時間が、設定された切替時間帯であると判断された場合、放送受信機は、外部機器接続手段に接続されている外部機器が出力した映像信号に応じた映像コンテンツを番組出力部において放映可能に切り替えることができる。
つまり、放送受信機において、受信部が受信した放送信号に応じた放送プログラムを放映せず、外部機器を動作させて映像信号に応じた映像コンテンツを放映するための切替時間帯を設定することができる。
そして、その切替時間帯であれば、放送受信機において自動的に外部機器からの映像信号の入力が可能となるように切り替えられるので、受信部を介して受信した放送信号にかえて、外部機器からの映像信号の入力に切り替えて、映像信号に応じた映像コンテンツを放映するための、所定の入力切替操作を省くことができる。
【発明を実施するための最良の形態】
【００１８】
以下、図面を参照して本発明に係る放送受信機の実施形態について詳細に説明する。なお、本実施の形態においては、放送受信機としてテレビ放送受信機（以下、放送受信機）を挙げて説明する。
【００１９】
図１に示すように、放送受信機１００は、放送信号を受信する受信機本体１と、受信機本体１において受信された放送信号に基づく画像や音声を出力し放送プログラム（放送番組）を放映する番組出力部としての表示装置２０と、受信機本体１が受信した放送信号に応じた放送プログラムに対応つけられたチャンネルを選択して番組を切り替えるリモコン３０等を備えている。
【００２０】
受信機本体１は、図１に示すように、所望のチャンネルに対応する周波数帯域に存在するデジタル放送信号を、アンテナ１０を介して受信する受信部としてのチューナ２と、チューナ２により受信したデジタル放送信号を復号するデコーダ３と、表示装置２０に所定のオンスクリーンディスプレイ（以下、ＯＳＤ）表示をさせるＯＳＤ回路４と、デジタル放送の各チャンネルの発信周波数やチャンネル構成情報を記憶するメモリ５と、リモコン３０と通信を行うための通信部６と、所定の外部機器が接続される外部機器接続手段としての外部機器接続端子群８と、放送受信機１００の各部を制御するＣＰＵなどからなる制御部７と、を備えている。なお、この受信機本体１に、リモコン３０と同様の入力操作を可能とする操作ボタン群を備えるようにしてもよい。
【００２１】
アンテナ１０は、テレビジョン放送局から発信される高周波（ＲＦ）の符号化されたデジタル放送信号を受信する。
【００２２】
チューナ２は、アンテナ１０により受信されたデジタル放送信号の供給を受けるとともに、ユーザがリモコン３０などから入力したチャンネル選択に関する指示に応じて選局処理を行い、選択されたチャンネルに対応する周波数帯域に存在するデジタル放送信号を受信して、その放送信号を中間周波数（ＩＦ）に変調してデコーダ３に出力する。
つまり、チューナ２は受信可能な多チャンネルの放送に関する複数の放送信号のうち、リモコン３０などから入力されたチャンネルに応じた放送信号を選択するようにして放送番組を切り替える選局処理を行う。
【００２３】
デコーダ３は、チューナ２が受信したデジタル放送信号を復号（デコード）する。また、デコーダ３は、その放送信号に含まれる放送情報（後述するＥＰＧデータ）を取得し、取得した放送情報を制御部７に送出する。
【００２４】
ＯＳＤ回路４は、制御部７からの指令により、デコーダ３が復号した放送信号を表示装置２０に出力する。また、ＯＳＤ回路４は、制御部７からの指令により、受信可能なチャンネル情報などに関する所定の一覧表示（ＯＳＤ表示）や、放送受信機１００（受信機本体１）における各種設定等の入力、操作を行うためのメニュー画面や設定画面などの表示画面（ＯＳＤ表示）を表示装置２０に表示させるためのＯＳＤ表示信号を出力する。
【００２５】
メモリ５は、各チャンネルの周波数帯域に関する情報や、チャンネル構成情報を記憶するとともに、放送受信機１００の工場出荷時にＯＳＤ表示に関する情報が記憶されている。
【００２６】
通信部６は、リモコン３０と所定の信号の送受信を行うことにより、受信機本体１とリモコン３０の間で各種データの授受を行う。
例えば、通信部６は、リモコン３０から送信される、放送プログラム（放送番組）を切り替えるためのチャンネル選択信号や、後述する複数の接続端子（外部機器接続端子群８）から所望する外部機器が接続されている接続端子を選択するための接続端子選択信号や、後述する操作パネル３１を介して設定入力された切替時間帯データに関する設定信号などを受信し、その受信した各種信号を制御部７に送出する。
【００２７】
外部機器接続端子群８は、図２（ａ）、図２（ｂ）に示すように、受信機本体１（表示装置２０）の背面側に設けられており、VIDEO1用接続端子８ａ、VIDEO2用接続端子８ｂ、COMPONENT1用接続端子８ｃ、COMPONENT2用接続端子８ｄ、HDMI用接続端子８ｅなど接続部としての複数の接続端子（８ａ〜８ｅ）を有している。
なお、VIDEO1用接続端子８ａとVIDEO2用接続端子８ｂは、１つのコンポジット映像端子と２つの音声端子により構成される。また、COMPONENT1用接続端子８ｃとCOMPONENT2用接続端子８ｄは、３つの端子からなるコンポーネント映像端子と２つの音声端子により構成される。また、HDMI用接続端子８ｅは１本のケーブルで映像信号と音声信号の両方の通信を行うことができる端子である。
これら各接続端子には、それぞれ所定の接続ケーブルを介してビデオ再生装置やＤＶＤプレーヤなどの外部機器が接続される。そして、その外部機器が出力する所定の映像コンテンツに関する映像信号が接続端子を通じて表示装置２０に出力されるようになっている。
【００２８】
表示装置２０は、図１に示すように、受信機本体１が受信した放送信号に基づく音声データや、外部機器が出力した映像信号に基づく音声データに応じて音声を出力する音声出力部２１と、その放送信号や映像信号に基づく画像データに応じて画像を表示する画像表示部２２と、を有している。
音声出力部２１は、例えば、スピーカ機器であり、受信機本体１が受信した放送信号や外部機器が出力した映像信号に基づく音声データに応じた音声を出力する。
画像表示部２２は、例えば、液晶表示機器であり、受信機本体１が受信した放送信号や外部機器が出力した映像信号に基づく画像データに応じた画像や映像を表示する。
【００２９】
リモコン３０は、ユーザによる操作指示を受信機本体１に対して入力するための装置であり、受信機本体１及び表示装置２０の動作を、赤外線等を用いて指示できるように構成されている。
リモコン３０は、図１に示すように、各種操作キーなどが配置される操作パネル３１と、デジタル放送に関するチャンネルデータを記憶するメモリ３２と、受信機本体１と通信を行うための通信部３３と、リモコン３０の各部を制御するＣＰＵなどからなる制御部３４と、を備えている。
【００３０】
操作パネル３１は、図３に示すように、受信機本体１及び表示装置２０の電源をオン／オフするパワーキー３１１と、放送受信機１００のチャンネルを選択するためのチャンネルキー３１２と、受信機本体１及び表示装置２０のメニュー画面を呼び出すメニューキー３１３と、放送受信機１００（表示装置２０）の音声ボリュームを調整するボリュームアップ／ダウンキー３１４と、各種操作を行うための上下左右キー３１５等を備えている。
【００３１】
リモコン３０のメモリ３２は、デジタル放送に関するチャンネルデータを記憶する。なお、このチャンネルデータは、受信機本体１（放送受信機１００）が受信可能な多チャンネルから所望するチャンネルを選択するためのデータであり、チャンネル番号と各チャンネルの周波数帯域に関する情報が関連つけられたデータである。
リモコン３０の通信部３３は、受信機本体１と所定の信号の送受信を行うことにより、リモコン３０と受信機本体１の間で各種データの授受を行う。例えば、通信部３３は、チャンネルキー３１２が操作されたことに伴うチャンネル（放送プログラム）を切り替えるためのチャンネル選択信号や、所定のキーが操作されたことに伴う外部機器からの映像信号の入力に切り替えるための接続端子選択信号などを受信機本体１に送信する。
リモコン３０の制御部３４は、リモコン３０の各部の制御を行い、特に、操作パネル３１が操作されたことに伴う各種信号を、通信部３３を介して受信機本体１に送信する制御を実行する。
【００３２】
そして、受信機本体１（放送受信機１００）の制御部７は、ユーザによるリモコン３０などを用いた入力操作等を受けて、放送受信機１００の各部の制御をデータバス（Data-Bus）を介して行う。
【００３３】
制御部７は、ユーザによるリモコン３０などからのチャンネルを選択する操作指示により、チューナ２にそのチャンネルに対応する放送信号を受信させ、その放送信号をデコーダ３によって復号処理させるとともにＯＳＤ回路４を介して表示装置２０に出力させ、受信した放送信号に応じた放送プログラムを放映する制御を行う。つまり、制御部７は、リモコン３０から送信されるチャンネル（放送プログラム）を切り替えるためのチャンネル選択信号の入力に基づき、チャンネル（放送プログラム）を切り替えて、選択されたチャンネルに対応する放送信号に応じた放送プログラムを表示装置２０において出力させる制御を実行する。
また、制御部７は、アンテナ１０やチューナ２を介して受信した放送信号に応じた放送プラグラムを表示装置２０において出力することと、外部機器接続端子群８（複数の接続端子（８ａ〜８ｅ））に接続されている外部機器が出力する映像信号に応じた映像コンテンツを表示装置２０において出力することを切り替える制御を実行する。
【００３４】
また、制御部７は、アンテナ１０やチューナ２を介して受信したデジタル放送信号に含まれる放送情報であるＥＰＧ（Electronic Program Guide）データに基づき、放送プログラムが放映されない無放送時間帯を検出する無放送時間帯検出手段として機能する。
例えば、無放送時間帯検出手段としての制御部７は、受信したデジタル放送信号に含まれるＥＰＧデータを取得するとともに、そのＥＰＧデータに基づき、各放送局が放送信号を発信する放送時間帯と、各放送局が放送信号を発信しない無放送時間帯とを検出する。
具体的には、取得したＥＰＧデータに基づき、放送局Ａの放送時間帯が６時（AM6:00）から２４時（AM0:00）であり、放送局Ｂの放送時間帯が５時（AM5:00）から２３時（PM11:00）であり、放送局Ｃの放送時間帯が７時（AM7:00）から翌１時（AM1:00）であることを制御部７が検出すると、無放送時間帯検出手段としての制御部７は、１時（AM1:00）から５時（AM5:00）までが無放送時間帯であると検出する。
なお、検出された無放送時間帯に関するデータはメモリ５に記憶される。そして、その無放送時間帯に関するデータはメモリ５において上書保存されて、常に最新の無放送時間帯データが記憶されるようになっている。
なお、無放送時間帯検出手段としての制御部７は、受信機本体１の電源がオン状態にされた際に無放送時間帯を検出して無放送時間帯データをメモリ５に記憶してもよく、また、予め設定された所定の時刻（例えば、正午（午後零時））に無放送時間帯を検出して無放送時間帯データをメモリ５に記憶してもよい。
【００３５】
また、制御部７は、放送受信機１００（受信機本体１）の電源がオン状態にされた際のタイミングが、無放送時間帯検出手段としての制御部７により検出された無放送時間帯であるか否かを判断するタイミング判断手段として機能する。
なお、制御部７は、現在時刻を計時する時計機能を有しており、電源がオン状態にされた際のタイミングの時刻を認識することができ、そのタイミングの時刻が無放送時間帯に該当するか否かを判断することができる。
【００３６】
また、制御部７は、タイミング判断手段としての制御部７により、放送受信機１００（受信機本体１）の電源がオン状態にされた際のタイミングが無放送時間帯であると判断された場合に、表示装置２０において外部機器が出力した映像信号に応じた映像コンテンツを放映可能に切り替える入力信号切替手段として機能する。
つまり、入力信号切替手段としての制御部７は、放送受信機１００（受信機本体１）の電源がオン状態にされた際のタイミングが無放送時間帯であった場合、アンテナ１０やチューナ２を介して受信した放送信号に応じた放送プラグラムを表示装置２０において出力することにかえて、外部機器接続端子群８（複数の接続端子（８ａ〜８ｅ））に接続されている外部機器が出力する映像信号に応じた映像コンテンツを表示装置２０において出力するように切り替える制御を行う。
【００３７】
また、制御部７は、複数の接続端子（VIDEO1用接続端子８ａ、VIDEO2用接続端子８ｂ、COMPONENT1用接続端子８ｃ、COMPONENT2用接続端子８ｄ、HDMI用接続端子８ｅ）から、表示装置２０において放映される映像コンテンツに関する映像信号を出力する外部機器が接続される接続端子を選択する外部入力選択手段の一部として機能する。
具体的には、外部入力選択手段としての制御部７は、リモコン３０の操作パネル３１などを介して入力された複数の接続端子（８ａ〜８ｅ）のうち何れか１つの接続端子を選択する操作に応じて、表示装置２０において放映される映像コンテンツに関する映像信号を出力する外部機器が接続される接続端子を選択する制御を実行する。なお、外部入力選択手段としての制御部７によって選択された接続端子に関する選択データはメモリ５に記憶される。
そして、入力信号切替手段としての制御部７により、外部機器が出力した映像信号に応じた映像コンテンツを放映可能に切り替えられた際に、外部入力選択手段としての制御部７によって選択された接続端子に接続されている外部機器が出力する映像信号に応じた映像コンテンツが表示装置２０において放映されるようになる。
【００３８】
例えば、外部入力選択手段の一部として機能するリモコン３０のメニューキー３１３が押下されたことに伴う操作信号を制御部７が検知すると、表示装置２０の画像表示部２２に、図４に示すような、複数の接続端子（８ａ〜８ｅ）のうち何れか１つの接続端子を選択するためのＯＳＤ画面が表示される。
そして、リモコン３０の上下左右キー３１５を操作することによって、カーソルを移動させて、画像表示部２２に表示されている「VIDEO1」、「VIDEO2」、「COMPONENT1」、「COMPONENT2」、「HDMI」のいずれかを指示する。なお、図４においては「VIDEO1」が指示されている状態を示している。このように画像表示部２２におけるＯＳＤ画面において「VIDEO1」が指示されることによって、外部機器接続端子群８のVIDEO1用接続端子８ａが選択されたことなり、入力信号切替手段としての制御部７により、外部機器が出力した映像信号に応じた映像コンテンツを放映可能に切り替えられた際に、このVIDEO1用接続端子８ａに接続されている外部機器から出力される映像信号に応じた映像コンテンツが表示装置２０において放映可能となる。
【００３９】
また、制御部７は、切替時間帯設定手段の一部として機能するリモコン３０の操作パネル３１などを介して入力された時間帯に関するデータに基づき、表示装置２０において外部機器が出力した映像信号に応じた映像コンテンツを放映可能に切り替える際の切替時間帯を設定する切替時間帯設定手段の一部として機能する。
例えば、ユーザが、２４時（０時、AM0:00）から６時（AM6:00）までの間は、放送信号に応じたテレビの放送プログラムは視聴せず、その間に放送受信機１００（受信機本体１）の電源をオン状態とすることがある場合は、外部機器を動作させて映像信号に応じた映像コンテンツを視聴することと決めている場合、２４時（０時、AM0:00）から６時（AM6:00）までを切替時間帯として設定するようにすればよい。
【００４０】
また、制御部７は、放送受信機１００（受信機本体１）の電源がオン状態にされた際の時間が、切替時間帯設定手段としての制御部７により設定された切替時間帯であるか否かを判断する切替時間帯判断手段として機能する。なお、制御部７は、現在時刻を計時する時計機能を有しており、電源がオン状態にされた際の時間を認識することができ、その時間が切替時間帯に該当するか否かを判断することができる。
なお、この切替時間帯判断手段としての制御をタイミング判断手段としての制御部７に実行させるようにしてもよい。
【００４１】
また、制御部７は、切替時間帯判断手段としての制御部７により、放送受信機１００（受信機本体１）の電源がオン状態にされた際の時間が切替時間帯であると判断された場合に、表示装置２０において外部機器が出力した映像信号に応じた映像コンテンツを放映可能に切り替える入力信号切替手段として機能する。
つまり、入力信号切替手段としての制御部７は、放送受信機１００（受信機本体１）の電源がオン状態にされた際の時間が切替時間帯であった場合、アンテナ１０やチューナ２を介して受信した放送信号に応じた放送プラグラムを表示装置２０において出力することにかえて、外部機器接続端子群８（複数の接続端子（８ａ〜８ｅ））に接続されている外部機器が出力する映像信号に応じた映像コンテンツを表示装置２０において出力するように切り替える制御を行う。
【００４２】
なお、放送受信機１００が、放送信号に応じた放送プラグラムを表示装置２０において出力することと、映像信号に応じた映像コンテンツを表示装置２０において出力することを切り替える処理は、本発明に係る制御処理によって、放送受信機１００（受信機本体１）の電源がオン状態にされた際のタイミングが無放送時間帯や切替時間帯であると判断された場合に自動的に切り替えられることに限らない。
例えば、リモコン３０などに設けられた所定のキーを操作することによって、ユーザが所望する任意のタイミングで、放送信号に応じた放送プラグラムを表示装置２０において出力することと、映像信号に応じた映像コンテンツを表示装置２０において出力することを切り替えることができる。なお、ユーザは、リモコン３０などに設けられた所定のキーを操作することによって、外部機器接続端子群８（複数の接続端子（８ａ〜８ｅ））に接続されている複数の外部機器のうち、任意の外部機器が出力する映像信号に応じた映像コンテンツを表示装置２０において出力することができる。
【００４３】
次に、本発明に係る放送受信機１００が、表示装置２０において外部機器接続端子群８に接続されている外部機器が出力する映像信号に応じた映像コンテンツを出力可能に切り替える処理について、図５に示すフローチャートに基づき説明する。
【００４４】
まず、リモコン３０のパワーキー３１１が押下されることに伴い、放送受信機１００の電源がオン状態に切り替えられ、放送受信機１００が起動する（ステップＳ１０１）。
【００４５】
次いで、制御部７は、放送受信機１００の電源がオン状態にされた際のタイミングが無放送時間帯であるか否かを判断する（ステップＳ１０２）。
制御部７が、放送受信機１００の電源がオン状態にされた際のタイミングが無放送時間帯であると判断すると（ステップＳ１０２；Ｙｅｓ）、ステップＳ１０４へ進む。
【００４６】
一方、制御部７が、放送受信機１００の電源がオン状態にされた際のタイミングが無放送時間帯でないと判断すると（ステップＳ１０２；Ｎｏ）、制御部７は、放送受信機１００の電源がオン状態にされた際の時間が切替時間帯であるか否かを判断する（ステップＳ１０３）。
制御部７が、放送受信機１００の電源がオン状態にされた際の時間が切替時間帯でないと判断すると（ステップＳ１０３；Ｎｏ）、ステップＳ１０７へ進む。
一方、制御部７が、放送受信機１００の電源がオン状態にされた際の時間が切替時間帯であると判断すると（ステップＳ１０３；Ｙｅｓ）、ステップＳ１０４へ進む。
【００４７】
ステップＳ１０４において、制御部７は、現在、放送受信機１００がアンテナ１０やチューナ２を介して受信する放送信号の入力状態となっているか、外部機器接続端子群８（複数の接続端子（８ａ〜８ｅ））に接続されている外部機器からの映像信号の入力状態となっているかを判断する（ステップＳ１０４）。
制御部７が、放送受信機１００は、アンテナ１０やチューナ２を介して受信する放送信号の入力状態となっておらず、外部機器接続端子群８に接続されている外部機器からの映像信号の入力状態になっていると判断すると（ステップＳ１０４；Ｎｏ）、ステップＳ１０６へ進む。
【００４８】
一方、制御部７が、放送受信機１００は、アンテナ１０やチューナ２を介して受信する放送信号の入力状態になっており、外部機器接続端子群８に接続されている外部機器からの映像信号の入力状態となっていないと判断すると（ステップＳ１０４；Ｙｅｓ）、制御部７は、外部機器からの映像信号を入力可能とするように放送受信機１００の設定を切り替えて、表示装置２０において外部機器が出力した映像信号に応じた映像コンテンツを放映可能な状態に切り替える（ステップＳ１０５）。
【００４９】
そして、ステップＳ１０６において、放送受信機１００は、外部機器が出力した映像信号に応じた映像コンテンツを放映可能となっているので、外部機器を起動し動作させることによって、表示装置２０において映像信号に応じた映像コンテンツを放映することができる（ステップＳ１０６）。
【００５０】
また、ステップＳ１０７において、放送受信機１００は、放送受信機１００の起動時に設定されていた放送信号の入力を受け付ける設定状態または映像信号の入力を受け付ける設定状態に従って、表示装置２０において放送信号または映像信号に応じた所定の映像（放送プログラム、映像コンテンツ）を放映する（ステップＳ１０７）。
【００５１】
そして、制御部７が、リモコン３０のパワーキー３１１が押下されることに伴い、放送受信機１００の電源がオフ状態に切り替えられたと判断すると（ステップＳ１０８；Ｙｅｓ）、制御部７は、放送受信機１００を停止させ、全ての処理を終了する。
【００５２】
このように、本発明に係る放送受信機１００は、放送信号に含まれるＥＰＧデータに基づき、各放送局が放送信号を発信しない無放送時間帯を検出することができる。そして、その無放送時間帯など、放送受信機１００において受信可能な番組（プログラム）の放送がない場合に、自動的にビデオ再生装置やＤＶＤプレーヤなどの外部機器からの所定の映像信号の入力を可能にすることができるので、放送受信機１００における外部機器接続端子群８に接続されている外部機器からの映像信号の入力に切り替えるための、所定の入力切替操作を省くことができる。
つまり、放送受信機１００において受信可能な番組（プログラム）の放送がない場合に、ユーザが放送受信機１００で放映される映像などを視聴するために、外部機器からの映像信号の入力を受けて、その映像信号に応じた映像コンテンツを放送受信機１００（表示装置２０）で放映可能とするように、外部機器からの映像信号の入力に切り替える入力切替を行う操作が不要になるので、放送受信機１００の操作性が向上する。特に、ユーザが、現在放送受信機１００で受信可能な番組（プログラム）の放送がないことを認識しており、外部機器からの映像信号に応じた映像コンテンツを視聴するために、放送受信機１００の電源を入れた場合に、自動的に外部機器からの映像信号の入力が可能になるように切り替わることは、ユーザにとって好ましい処理といえる。
また、ユーザが、現在放送受信機１００で受信可能な番組（プログラム）の放送がないことを知らずに放送受信機１００の電源を入れた場合、自動的に外部機器からの映像信号の入力が可能になることによって、ユーザは、現在放送受信機１００で受信可能な番組（プログラム）の放送がないことを認識することができる。
【００５３】
また、放送受信機１００は、アンテナ１０やチューナ２を介して受信した放送信号に応じた放送プログラムを視聴せず、外部機器を動作させて映像信号に応じた映像コンテンツを視聴するための切替時間帯を設定することができる。そして、その切替時間帯であれば、自動的に外部機器からの所定の映像信号の入力が可能となるように切り替えられるので、アンテナ１０やチューナ２を介して受信した放送信号にかえて、外部機器からの映像信号の入力に切り替えるための、所定の入力切替操作を省くことができる。
【００５４】
なお、本発明の適用は上述した実施形態に限定されることなく、本発明の趣旨を逸脱しない範囲で適宜変更可能である。
【図面の簡単な説明】
【００５５】
【図１】本発明に係る放送受信機やリモコンの要部構成を示すブロック図である。
【図２】外部機器接続端子群を示す斜視図（ａ）と、その外部機器接続端子群の拡大図（ｂ）である。
【図３】放送受信機のリモコンの平面図である。
【図４】接続端子選択用のＯＳＤ画面の一例を示す説明図である。
【図５】放送受信機が、外部機器接続端子群に接続されている外部機器が出力する映像信号に応じた映像コンテンツを表示装置において出力可能に切り替える処理を示すフローチャートである。
【符号の説明】
【００５６】
１      受信機本体
２      チューナ（受信部）
３      デコーダ
４      ＯＳＤ回路
５      メモリ
６      通信部
７      制御部（無放送時間帯検出手段、タイミング判断手段、入力信号切替手段、外部入力選択手段、切替時間帯設定手段、切替時間帯判断手段）
８      外部機器接続端子群（外部機器接続手段）
８ａ    VIDEO1用接続端子（接続部）
８ｂ    VIDEO2用接続端子（接続部）
８ｃ    COMPONENT1用接続端子（接続部）
８ｄ    COMPONENT2用接続端子（接続部）
８ｅ    HDMI用接続端子（接続部）
１０    アンテナ
２０    表示装置（番組出力部）
２１    音声出力部
２２    画像表示部
３０    リモコン（外部入力選択手段、切替時間帯設定手段）
３１    操作パネル
３１１  パワーキー
３１２  チャンネルキー
３１３  メニューキー
３１４  ボリュームキー
３１５  上下左右キー
１００  放送受信機
【図１】
2007110391.tif 000003
【図２】
2007110391.tif 000004
【図３】
2007110391.tif 000005
【図４】
2007110391.tif 000006
【図５】
2007110391.tif 000007